(57)【特許請求の範囲】
【請求項１】
記録媒体の水性顔料インクが吐出される面への塗布に用いられる前処理液であって、
水、水溶性有機溶媒、水溶性凝集剤、一般式
Ｃ６Ｆ１３−ＣＨ２ＣＨ２Ｏ（ＣＨ２ＣＨ２Ｏ）ｎＨ・・・（１）
（式中、ｎは、１以上４０以下の整数である。）
で表される化合物及び一般式
ＨＯＲ１Ｒ３Ｃ−（ＣＨ２）ｍ−ＣＲ２Ｒ４ＯＨ・・・（２）
（式中、Ｒ１及びＲ２は、それぞれ独立に、炭素数が３個以上６個以下のアルキル基であり、Ｒ３及びＲ４は、それぞれ独立に、メチル基又はエチル基であり、ｍは、１以上６以下の整数である。）
で表される化合物を含むことを特徴とする前処理液。
【請求項２】
前記一般式（１）で表される化合物の含有量が０．０１質量％以上１質量％以下であることを特徴とする請求項１に記載の前処理液。
【請求項３】
前記一般式（２）で表される化合物の含有量が０．１質量％以上０．５質量％以下であることを特徴とする請求項１又は２に記載の前処理液。
【請求項４】
前記水溶性凝集剤は、水溶性脂肪族有機酸又は水溶性金属塩であることを特徴とする請求項１乃至３のいずれか一項に記載の前処理液。
【請求項５】
請求項１乃至４のいずれか一項に記載の前処理液と、水性顔料インクを有することを特徴とするインクセット。
【請求項６】
請求項１乃至４のいずれか一項に記載の前処理液を記録媒体に塗布する塗布手段と、
該記録媒体の前処理液が塗布された面に、水性顔料インクを吐出する吐出手段を有することを特徴とする画像形成装置。
【請求項７】
請求項１乃至４のいずれか一項に記載の前処理液を記録媒体に塗布する工程と、
該記録媒体の前処理液が塗布された面に、水性顔料インクを吐出する工程を有することを特徴とする画像形成方法。
【発明の詳細な説明】
【技術分野】
【０００１】
本発明は、記録媒体の水性顔料インクが吐出される面への塗布に用いられる前処理液、インクセット、画像形成装置及び画像形成方法に関する。
【背景技術】
【０００２】
水性顔料インクを吐出して、普通紙に画像を形成すると、画像濃度が低下するという問題があった。
【０００３】
そこで、水性顔料インクを吐出する前に、前処理液を塗布して画像を形成する方法が知られている。
【０００４】
しかしながら、前処理液は、濡れ性及び消泡性が低く、色むらが発生するという問題があった。
【０００５】
特許文献１には、Ｎ−アルキル−２−ピロリドンと、フッ素系界面活性剤と、酸又は多価金属塩を含む処理液が開示されている。このとき、Ｎ−アルキル−２−ピロリドンは、アルキル基の炭素数が８〜１１である。また、フッ素系界面活性剤は、一般式
ＣｎＦ２ｎ＋１−ＣＨ２ＣＨ（ＯＨ）ＣＨ２Ｏ−（ＣＨ２ＣＨ２Ｏ）ａ−Ｙ
（式中、ｎは、２〜６の整数であり、ａは、１５〜５０の整数であり、Ｙは、一般式
−ＣｂＨ２ｂ＋１
（式中、ｂは、１１〜１９の整数である。）
で表される基又は一般式
−ＣＨ２ＣＨ（ＯＨ）ＣＨ２−ＣｍＦ２ｍ＋１
（式中、ｍは、２〜６の整数である）
で表される基である。）
で表される化合物であり、グリフィンのＨＬＢ値が１０〜１６である化合物である。
【発明の概要】
【発明が解決しようとする課題】
【０００６】
しかしながら、色むらの発生をさらに抑制することが望まれている。
【０００７】
本発明の一態様は、上記従来技術が有する問題に鑑み、普通紙に画像濃度が高い画像を形成すると共に、色むらの発生を抑制することが可能な前処理液を提供することを目的とする。
【課題を解決するための手段】
【０００８】
本発明の一態様は、記録媒体の水性顔料インクが吐出される面への塗布に用いられる前処理液であって、水、水溶性有機溶媒、水溶性凝集剤、一般式
Ｃ６Ｆ１３−ＣＨ２ＣＨ２Ｏ（ＣＨ２ＣＨ２Ｏ）ｎＨ・・・（１）
（式中、ｎは、１以上４０以下の整数である。）
で表される化合物及び一般式
ＨＯＲ１Ｒ３Ｃ−（ＣＨ２）ｍ−ＣＲ２Ｒ４ＯＨ・・・（２）
（式中、Ｒ１及びＲ２は、それぞれ独立に、炭素数が３個以上６個以下のアルキル基であり、Ｒ３及びＲ４は、それぞれ独立に、メチル基又はエチル基であり、ｍは、１以上６以下の整数である。）
で表される化合物を含む。
【発明の効果】
【０００９】
本発明の一態様によれば、普通紙に画像濃度が高い画像を形成すると共に、色むらの発生を抑制することが可能な前処理液を提供することができる。
【図面の簡単な説明】
【００１０】
【図１】画像形成装置の一例を示す模式図である。
【図２】図１の前処理部の前処理液塗布装置を示す模式図である。
【図３】図１のインクジェット記録部のインクジェットヘッドを示す模式図である。
【図４】図３のヘッドユニットの拡大図である。
【発明を実施するための形態】
【００１１】
次に、本発明を実施するための形態を図面と共に説明する。
【００１２】
前処理液は、記録媒体の水性顔料インクが吐出される面への塗布に用いられ、水、水溶性有機溶媒、水溶性凝集剤、一般式（１）で表される化合物及び一般式（２）で表される化合物を含む。
【００１３】
前処理液は、後述する塗布ローラー及び記録媒体に対する濡れ性に優れるため、記録媒体に前処理液を均一に塗布することができる。また、前処理液は、消泡性に優れるため、塗布ローラーが回転する際に泡が発生しても、その影響を最小限に止めることができる。その結果、色むらの発生を抑制することができる。
【００１４】
前処理液は、一般式（１）で表される化合物を含むため、表面張力が低下し、塗布ローラー及び記録媒体に対する濡れ性を向上させることができる。
【００１５】
一般式（１）において、ｎは、６〜３０の整数であることが好ましい。
【００１６】
一般式（１）において、パーフルオロアルキル基（Ｃ６Ｆ１３）は、直鎖であることが好ましい。これにより、塗布ローラー及び記録媒体に対する濡れ性をさらに向上させることができる。
【００１７】
一般式（１）で表される化合物のｎの分布が異なる市販品としては、Ｃａｐｓｔｏｎｅ  ＦＳ−３１００、ＦＳ−３０、ＦＳ−３１、ＦＳ−３４、ＦＳ−３５（デュポン社製）等が挙げられ、二種以上併用してもよい。
【００１８】
なお、一般式（１）で表される化合物のｎの分布は、ＮＭＲ及び質量分析法を用いて、測定することができる。
【００１９】
前処理液中の一般式（１）で表される化合物の含有量は、通常、０．０１〜１質量％であり、０．０５〜０．５質量％であることが好ましい。これにより、前処理液中の一般式（１）で表される化合物の含有量が０．０１質量％以上であることにより、前処理液の表面張力がさらに低下し、塗布ローラー及び記録媒体に対する濡れ性をさらに向上させることができる。一方、前処理液中の一般式（１）で表される化合物の含有量が１質量％以下であることにより、一般式（１）で表される化合物の溶解性を向上させることができる。
【００２０】
前処理液は、一般式（１）で表される化合物以外の界面活性剤をさらに含んでいてもよい。
【００２１】
この場合、界面活性剤中の一般式（１）で表される化合物の含有量は、通常、６０質量％以上である。
【００２２】
一般式（１）で表される化合物以外の界面活性剤としては、特に限定されないが、ノニオン性界面活性剤、アニオン性界面活性剤、カチオン性界面活性剤、両性界面活性剤、アセチレングリコール系界面活性剤、フッ素系界面活性剤等が挙げられる。
【００２３】
ノニオン性界面活性剤の市販品としては、マーポマーセＰＴ（松本油脂社製）等が挙げられる。
【００２４】
アニオン性界面活性剤の市販品としては、ＥＣＴＤ−３ＮＥＸ（日光ケミカルズ社製）等が挙げられる。
【００２５】
アセチレングリコール系界面活性剤の市販品としては、サーフィノール１０４ＰＡ（エアープロダクツジャパン社製）等が挙げられる。
【００２６】
フッ素系界面活性剤の市販品としては、ゾニールＦＳ−３００、ＦＳＮ、ＦＳＮ−１００、ＦＳＯ、ＦＳＯ−１００、ＦＳＨ（デュポン社製）、ＤＳＮ−４０３Ｎ（ダイキン工業社製）等が挙げられる。
【００２７】
前処理液は、一般式（２）で表される化合物を含むため、消泡性を向上させることができる。
【００２８】
一般式（２）で表される化合物は、２，４，７，９−テトラメチル−４，７−デカンジオールであることが好ましい。
【００２９】
前処理液中の一般式（２）で表される化合物の含有量は、通常、０．１〜０．５質量％であり、０．２〜０．４質量％であることが好ましい。前処理液中の一般式（２）で表される化合物の含有量が０．１質量％以上であることにより、前処理液の消泡性をさらに向上させることができる。一方、前処理液中の一般式（２）で表される化合物の含有量が０．５質量％以下であることにより、一般式（２）で表される化合物の溶解性を向上させることができる。
【００３０】
前処理液は、水溶性凝集剤を含むため、水性顔料インク中の顔料を記録媒体の表面で凝集させることができ、その結果、画像濃度が高い画像を形成することができる。
【００３１】
水溶性凝集剤としては、水性顔料インク中の顔料を記録媒体の表面で凝集させることが可能であれば、特に限定されないが、水溶性脂肪族有機酸、水溶性金属塩等が挙げられ、二種以上併用してもよい。
【００３２】
水溶性脂肪族有機酸としては、特に限定されないが、コハク酸、クエン酸、リンゴ酸、酒石酸、乳酸等が挙げられる。中でも、乳酸、酒石酸が好ましい。
【００３３】
水溶性金属塩における金属イオンとしては、特に限定されないが、アルミニウムイオン、バリウムイオン、カルシウムイオン、銅イオン、鉄イオン、マグネシウムイオン、マンガンイオン、ニッケルイオン、スズイオン、チタンイオン、亜鉛イオン等の多価金属イオンが挙げられる。中でも、カルシウムイオン、マグネシウムイオンが好ましい。
【００３４】
水溶性金属塩における金属イオンの対イオンとしては、特に限定されないが、塩化物イオン、ヨウ化物イオン、硫酸イオン、硝酸イオン、リン酸イオン、チオシアン酸イオン等の無機酸イオン、酢酸イオン、シュウ酸イオン、乳酸イオン、フマル酸イオン、クエン酸イオン、サリチル酸イオン、安息香酸イオン等の有機酸イオンが挙げられる。中でも、塩化物イオン、硫酸イオンが好ましい。
【００３５】
前処理液中の水溶性凝集剤の含有量は、通常、０．１〜３０質量％であり、１〜２０質量％であることが好ましい。前処理液中の水溶性凝集剤の含有量が０．１質量％以上であることにより、画像濃度がさらに高い画像を形成することができる。一方、前処理液中の水溶性凝集剤の含有量が３０質量％以下であることにより、水溶性凝集剤の溶解性を向上させることができる。
【００３６】
水溶性有機溶媒としては、特に限定されないが、エチレングリコール、ジエチレングリコール、トリエチレングリコール、テトラエチレングリコール、ポリエチレングリコール、プロピレングリコール、１，３−ブタンジオール、１，３−プロパンジオール、２−メチル−１，３−プロパンジオール、１，４−ブタンジオール、１，５−ペンタンジオール、１，６−へキサンジオール、グリセリン、１，２，６−へキサントリオール、２−エチル−１，３−ヘキサンジオール、１，２，４−ブタントリオール、１，２，３−ブタントリオール、ペトリオール等の多価アルコール；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノブチルエーテル、テトラエチレングリコールモノメチルエーテル、プロピレングリコールモノエチルエーテル等の多価アルコールアルキルエーテル；エチレングリコールモノフェニルエーテル、エチレングリコールモノベンジルエーテル等の多価アルコールアリールエーテル；Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物；ホルムアミド、Ｎ−メチルホルムアミド、Ｎ，Ｎ−ジメチルホルムアミド等のアミド；モノエタノールアミン、ジエタノールアミン、トリエタノールアミン、モノエチルアミン、ジエチルアミン、トリエチルアミン等のアミン；ジメチルスルホキシド、スルホラン、チオジエタノール等の含硫黄化合物；プロピレンカーボネート、エチレンカーボネート、γ−ブチロラクトン等が挙げられ、二種以上併用してもよい。
【００３７】
前処理液は、防錆剤、ｐＨ調整剤、防腐防黴剤等をさらに含んでいてもよい。
【００３８】
防錆剤としては、特に限定されないが、ベンゾトリアゾール、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。
【００３９】
ｐＨ調整剤としては、特に限定されないが、水酸化リチウム、水酸化ナトリウム、水酸化カリウム等のアルカリ金属の水酸化物；水酸化アンモニウム、４級アンモニウムの水酸化物、４級ホスホニウムの水酸化物等のオニウムの水酸化物；炭酸リチウム、炭酸ナトリウム、炭酸カリウム等のアルカリ金属の炭酸塩；ジエタノールアミン、トリエタノールアミン等のアミン；ホウ酸、塩酸、硝酸、硫酸、酢酸等の酸等が挙げられる。
【００４０】
防腐防黴剤としては、特に限定されないが、デヒドロ酢酸ナトリウム、ソルビン酸ナトリウム、２−ピリジンチオール−１−オキサイドナトリウム、安息香酸ナトリウム、ペンタクロロフェノールナトリウム等が挙げられる。
【００４１】
前処理液の塗布方法としては、前処理液を均一に塗布することが可能であれば、特に限定されないが、ブレードコート法、グラビアコート法、グラビアオフセットコート法、バーコート法、ロールコート法等が挙げられる。
【００４２】
なお、前処理液は、記録媒体の記録領域の全域に塗布してもよいし、水性顔料インクが吐出される領域のみに塗布してもよい。
【００４３】
記録媒体としては、インクジェット専用紙以外の記録媒体であれば、特に限定されないが、普通紙、アート紙、コート紙、軽量コート紙、キャスト紙、微塗工紙等が挙げられる。
【００４４】
水性顔料インクは、通常、顔料、水溶性有機溶媒、界面活性剤及び水を含む。
【００４５】
ブラックの顔料としては、特に限定されないが、アニリンブラック等が挙げられる。
【００４６】
カラーの顔料としては、特に限定されないが、アントラキノン、フタロシアニンブルー、フタロシアニングリーン、ジアゾ、モノアゾ、ピラントロン、ペリレン、複素環式イエロー、キナクリドン、（チオ）インジゴイド等が挙げられる。中でも、発色性の面から、フタロシアニン系顔料、キナクリドン系顔料、モノアゾイエロー系顔料、ジアゾイエロー系顔料、複素環式イエロー顔料が好ましい。
【００４７】
フタロシアニン系顔料としては、銅フタロシアニンブルー又はその誘導体（Ｃ．Ｉ  ピグメントブルー１５：３、Ｃ．Ｉ  ピグメントブルー１５：４）、アルミニウムフタロシアニン等が挙げられる。
【００４８】
キナクリドン系顔料としては、Ｃ．Ｉ  ピグメントオレンジ４８、Ｃ．Ｉ  ピグメントオレンジ４９、Ｃ．Ｉ  ピグメントレッド１２２、Ｃ．Ｉ  ピグメントレッド１９２、Ｃ．Ｉ  ピグメントレッド２０２、Ｃ．Ｉ  ピグメントレッド２０６、Ｃ．Ｉ  ピグメントレッド２０７、Ｃ．Ｉ  ピグメントレッド２０９、Ｃ．Ｉ  ピグメントバイオレット１９、Ｃ．Ｉ  ピグメントバイオレット４２等が挙げられる。
【００４９】
モノアゾイエロー系顔料としては、Ｃ．Ｉ  ピグメントイエロー７４、Ｃ．Ｉ  ピグメントイエロー１０９、Ｃ．Ｉ  ピグメントイエロー１２８、Ｃ．Ｉ  ピグメントイエロー１５１等が挙げられる。
【００５０】
ジアゾイエロー系顔料としては、Ｃ．Ｉ  ピグメントイエロー１４、Ｃ．Ｉ  ピグメントイエロー１６、Ｃ．Ｉ  ピグメントイエロー１７等が挙げられる。
【００５１】
複素環式イエロー顔料としては、Ｃ．Ｉ  ピグメントイエロー１１７、Ｃ．Ｉ  ピグメントイエロー１３８等が挙げられる。
【００５２】
水性顔料インク中の顔料の含有量は、通常、１〜２０質量％であり、２〜１５質量％であることが好ましい。
【００５３】
水溶性有機溶媒としては、特に限定されないが、エチレングリコール、ジエチレングリコール、トリエチレングリコール、テトラエチレングリコール、ポリエチレングリコール、プロピレングリコール、１，３−ブタンジオール、１，３−プロパンジオール、２−メチル−１，３−プロパンジオール、１，４−ブタンジオール、１，５−ペンタンジオール、１，６−へキサンジオール、グリセリン、１，２，６−へキサントリオール、２−エチル−１，３−ヘキサンジオール、１，２，４−ブタントリオール、１，２，３−ブタントリオール、ペトリオール等の多価アルコール；エチレングリコールモノエチルエーテル、エチレングリコールモノブチルエーテル、ジエチレングリコールモノメチルエーテル、ジエチレングリコールモノエチルエーテル、ジエチレングリコールモノブチルエーテル、トリエチレングリコールモノブチルエーテル、テトラエチレングリコールモノメチルエーテル、プロピレングリコールモノエチルエーテル等の多価アルコールアルキルエーテル；エチレングリコールモノフェニルエーテル、エチレングリコールモノベンジルエーテル等の多価アルコールアリールエーテル；Ｎ−メチル−２−ピロリドン、Ｎ−ヒドロキシエチル−２−ピロリドン、２−ピロリドン、１，３−ジメチルイミダゾリジノン、ε−カプロラクタム等の含窒素複素環化合物；ホルムアミド、Ｎ−メチルホルムアミド、Ｎ，Ｎ−ジメチルホルムアミド等のアミド；モノエタノールアミン、ジエタノールアミン、トリエタノールアミン、モノエチルアミン、ジエチルアミン、トリエチルアミン等のアミン；ジメチルスルホキシド、スルホラン、チオジエタノール等の含硫黄化合物；プロピレンカーボネート、エチレンカーボネート、γ−ブチロラクトン等が挙げられ、二種以上併用してもよい。
【００５４】
水性顔料インクは、糖類及びその誘導体をさらに含んでいてもよい。
【００５５】
糖類としては、特に限定されないが、単糖類、二糖類、オリゴ糖類（三糖類、四糖類を含む）、多糖類等が挙げられる。
【００５６】
糖類の具体例としては、グルコース、マンノース、フルクトース、リボース、キロース、トレハロース、マントトリオース等が挙げられる。
【００５７】
ここで、多糖類とは、広義の糖を意味し、α−シクロデキストリン、セルロース等を含む。
【００５８】
糖類の誘導体としては、特に限定されないが、糖類の還元糖及び酸化糖等が挙げられる。中でも、マルチトール、ソルビット等の糖アルコールが好ましい。
【００５９】
水性顔料インク中の糖類の含有量は、通常、０．１〜４０質量％であり、０．５〜３０質量％であることが好ましい。
【００６０】
界面活性剤としては、特に限定されないが、アニオン性界面活性剤、ノニオン性界面活性剤、両性界面活性剤等が挙げられ、二種以上併用してもよい。中でも、表面張力が低く、レベリング性が高い面から、フッ素系界面活性剤、シリコーン系界面活性剤が好ましく、フッ素系界面活性剤がさらに好ましい。
【００６１】
アニオン性界面活性剤としては、ポリオキシエチレンアルキルエーテル酢酸塩、ドデシルベンゼンスルホン酸塩、コハク酸エステルスルホン酸塩、ラウリル酸塩、ポリオキシエチレンアルキルエーテルサルフェートの塩等が挙げられる。
【００６２】
ノニオン性界面活性剤としては、アセチレングリコール系界面活性剤、ポリオキシエチレンアルキルエーテル、ポリオキシエチレンアルキルフェニルエーテル、ポリオキシエチレンアルキルエステル、ポリオキシエチレンソルビタン脂肪酸エステル等が挙げられる。
【００６３】
アセチレングリコール系界面活性剤としては、２，４，７，９−テトラメチル−５−デシン−４，７−ジオール、３，６−ジメチル−４−オクチン−３，６−ジオール、３，５−ジメチル−１−ヘキシン−３−オール等が挙げられる。
【００６４】
アセチレングリコール系界面活性剤の市販品として、サーフィノール１０４、８２、４６５、４８５、ＴＧ（以上、エアープロダクツ社製）等が挙げられる。
【００６５】
両性界面活性剤としては、ラウリルアミノピロピオン酸塩、ラウリルジメチルベタイン、ステアリルジメチルベタイン、ラウリルジヒドロキシエチルベタイン、ラウリルジメチルアミンオキシド、ミリスチルジメチルアミンオキシド、ステアリルジメチルアミンオキシド、ジヒドロエチルラウリルアミンオキシド、ポリオキシエチレンヤシ油アルキルジメチルアミンオキシド、ジメチルアルキル（ヤシ）ベタイン、ジメチルラウリルベタイン等が挙げられる。
【００６６】
フッ素系界面活性剤としては、パーフルオロアルキルスルホン酸及びその塩、パーフルオロアルキルカルボン酸及びその塩、パーフルオロアルキルリン酸エステル及びその塩、パーフルオロアルキルエチレンオキサイド付加物、パーフルオロアルコキシ基を側鎖に有するポリオキシアルキレンエーテルポリマーの硫酸エステル塩、パーフルオロアルコキシ基を側鎖に有するポリオキシアルキレンエーテルポリマーの塩等が挙げられる。
【００６７】
フッ素系界面活性剤の対イオンとしては、Ｌｉ＋、Ｎａ＋、Ｋ＋、ＮＨ４＋、＋ＮＨ３（ＣＨ２ＣＨ２ＯＨ）、＋ＮＨ２（ＣＨ２ＣＨ２ＯＨ）２、＋ＮＨ（ＣＨ２ＣＨ２ＯＨ）３等が挙げられる。
【００６８】
フッ素系界面活性剤の市販品としては、サーフロンシリーズＳ−１１１、Ｓ−１１２、Ｓ−１１３、Ｓ−１２１、Ｓ−１３１、Ｓ−１３２、Ｓ−１４１、Ｓ−１４５（以上、旭硝子社製）、フルラードシリーズＦＣ−９３、ＦＣ−９５、ＦＣ−９８、ＦＣ−１２９、ＦＣ−１３５、ＦＣ−１７０Ｃ、ＦＣ−４３０、ＦＣ−４３１（以上、住友スリーエム社製）、メガファックシリーズＦ−４７０、Ｆ−１４０５、Ｆ−４７４（以上、ＤＩＣ社製）、Ｚｏｎｙｌ  ＴＢＳ、ＦＳＰ、ＦＳＡ、ＦＳＮ−１００、ＦＳＮ、ＦＳＯ−１００、ＦＳＯ、ＦＳ−３００、ＵＲ（以上、Ｄｕｐｏｎｔ社製）、ＦＴ−１１０、ＦＴ−２５０、ＦＴ−２５１、ＦＴ−２５２、ＦＴ−４００Ｓ、ＦＴ−１５０、ＦＴ−４００ＳＷ（以上、ネオス社製）、ＰＦ−１５１Ｎ（オムノバ社製）等が挙げられる。
【００６９】
シリコーン系界面活性剤としては、特に限定されないが、側鎖変性ポリジメチルシロキサン、両末端変性ポリジメチルシロキサン、片末端変性ポリジメチルシロキサン、側鎖両末端変性ポリジメチルシロキサン等が挙げられる。
【００７０】
変性基は、ポリオキシエチレン基又はポリオキシエチレンポリオキシプロピレン基であることが好ましい。
【００７１】
上記以外のシリコーン系界面活性剤として、ポリエーテル変性シリコーン系界面活性剤を用いることもできる。
【００７２】
ポリエーテル変性シリコーン系界面活性剤としては、ポリオキシアルキレン基がジメチルシロキサンの側鎖に導入されている化合物等が挙げられる。
【００７３】
ポリエーテル変性シリコーン系界面活性剤の市販品としては、ＫＦ−６１８、ＫＦ−６４２、ＫＦ−６４３（以上、信越化学工業社製）等が挙げられる。
【００７４】
水性顔料インク中の界面活性剤の含有量は、通常、０．０１〜３質量％であり、０．５〜２質量％であることが好ましい。
【００７５】
水性顔料インクは、カルボキシル基を有する樹脂粒子をさらに含むことが好ましい。これにより、前処理液に含まれる水溶性凝集剤とカルボキシル基を有する樹脂粒子が反応し、記録媒体上で顔料が凝集するため、画像濃度をさらに向上させることができる。
【００７６】
カルボキシル基を有する樹脂粒子としては、特に限定されないが、マレイン酸樹脂粒子、スチレン−マレイン酸樹脂粒子、ロジン変性マレイン酸樹脂粒子、アルキド樹脂粒子、変性アルキド樹脂粒子等が挙げられる。
【００７７】
カルボキシル基を有する樹脂粒子の市販品としては、マルキード（荒川化学社製）、ハリマック、ハリフタール（以上、ハリマ化成社製）等が挙げられる。
【００７８】
カルボキシル基を有する樹脂粒子の最低造膜温度は、通常、３０℃以下であり、１０℃以下であることが好ましい。
【００７９】
カルボキシル基を有する樹脂粒子の体積平均粒径は、通常、５〜２００ｎｍであり、１０〜１００ｎｍであることが好ましい。
【００８０】
水性顔料インク中のカルボキシル基を有する樹脂粒子の含有量は、通常、０．５〜２０質量％であり、１〜５質量％であることが好ましい。
【００８１】
なお、カルボキシル基を有する樹脂粒子は、顔料を包含している形態で添加してもよいし、顔料を包含していない形態で添加してもよい。
【００８２】
水性顔料インクは、ｐＨ調整剤、防腐防黴剤、防錆剤等をさらに含んでいてもよい。
【００８３】
水性顔料インクのｐＨは、通常、９〜１１である。
【００８４】
ｐＨ調整剤としては、特に限定されないが、水酸化リチウム、水酸化ナトリウム、水酸化カリウム等のアルカリ金属の水酸化物；水酸化アンモニウム、４級アンモニウムの水酸化物、４級ホスホニウムの水酸化物等のオニウムの水酸化物；炭酸リチウム、炭酸ナトリウム、炭酸カリウム等のアルカリ金属の炭酸塩；ジエタノールアミン、トリエタノールアミン等のアミン；ホウ酸、塩酸、硝酸、硫酸、酢酸等の酸等が挙げられる。
【００８５】
防腐防黴剤としては、特に限定されないが、デヒドロ酢酸ナトリウム、ソルビン酸ナトリウム、２−ピリジンチオール−１−オキサイドナトリウム、安息香酸ナトリウム、ペンタクロロフェノールナトリウム等が挙げられる。
【００８６】
防錆剤としては、特に限定されないが、ベンゾトリアゾール、酸性亜硫酸塩、チオ硫酸ナトリウム、チオジグリコール酸アンモン、ジイソプロピルアンモニウムニトライト、四硝酸ペンタエリスリトール、ジシクロヘキシルアンモニウムニトライト等が挙げられる。
【００８７】
図１に、画像形成装置の一例を示す模式図である。
【００８８】
画像形成装置３００は、記録媒体搬送部３０１と、記録媒体２０３に前処理液を塗布する前処理部３０２と、前処理液が塗布された記録媒体２０３を乾燥させる第一の乾燥部３０３と、乾燥した記録媒体２０３に水性顔料インクを吐出して画像を形成するインクジェット記録部３０４と、画像が形成された記録媒体に後処理液を塗布する後処理部３０５と、後処理液が塗布された記録媒体２０３を乾燥させる第二の乾燥部３０６で構成されている。
【００８９】
記録媒体搬送部３０１は、給紙装置３０７と、複数の搬送ローラーと、巻き取り装置３０８で構成されている。そして、記録媒体２０３は、ロール状に巻かれた連続紙（ロール紙）であり、搬送ローラーにより給紙装置３０７から巻き出された後、搬送され、巻き取り装置３０８によって巻き取られる。
【００９０】
記録媒体搬送部３０１から搬送された記録媒体２０３は、前処理部３０２の前処理液塗布装置２０４により前処理液が塗布される。
【００９１】
図２に示すように、前処理液塗布装置２０４の内部に、前処理液２０５が貯留されておいる。ここで、攪拌・供給ローラー２０６、移送ローラー２０７及び薄膜化ローラー２０８により、塗布ローラー２０９の表面に、前処理液２０５の薄膜が形成される。そして、塗布ローラー２０９は、回転する対向ローラー２０１に押し付けられながら回転し、その間を記録媒体２０３が通過することで、記録媒体２０３の表面に前処理液２０５が塗布される。このとき、圧力調整装置２０２により、対向ローラー２０１と塗布ローラー２０９の間のニップ圧を調整することができ、前処理液２０５の塗布量を制御することができる。また、塗布ローラー２０９及び対向ローラー２０１の回転速度を調整することにより、前処理液２０５の塗布量を制御することもできる。塗布ローラー２０９、対向ローラー２０１は、駆動モーター等の動力源（不図示）により駆動され、動力源のエネルギーを調整することにより、塗布ローラー２０９、対向ローラー２０１の回転速度を制御することができる。
【００９２】
このように、塗布ローラー２０９を用いて、記録媒体２０３の記録領域に前処理液２０５を塗布すると、比較的粘度の高い前処理液２０５を記録媒体２０３上に薄く塗布することができ、色むらの発生をさらに抑制することができる。
【００９３】
前処理部３０２における前処理液の塗布方法としては、ロールコート法に限定されず、ブレードコート法、グラビアコート法、グラビアオフセットコート法、バーコート法、ロールコート法等が挙げられる。
【００９４】
なお、前処理液２０５は、記録媒体２０３の記録領域の全域に塗布してもよいし、画像が形成される領域のみに塗布してもよい。
【００９５】
前処理液２０５が塗布された記録媒体２０３は、第一の乾燥部３０３のヒートローラー３１１、３１２により、乾燥させる。具体的には、前処理液２０５が塗布された記録媒体２０３は、搬送ローラーにより、ヒートローラー３１１、３１２に搬送される。ヒートローラー３１１、３１２は、通常、５０〜１００℃に熱せられているため、前処理液２０５が塗布された記録媒体２０３は、ヒートローラー３１１、３１２からの接触伝熱により、水分が蒸発し、乾燥する。
【００９６】
第一の乾燥部３０３における乾燥手段としては、ヒートローラーに限定されず、赤外線乾燥装置、マイクロ波乾燥装置、温風装置等が挙げられ、二種以上併用してもよい。
【００９７】
なお、前処理液２０５が塗布される前の記録媒体を加熱してもよい。
【００９８】
乾燥した記録媒体２０３は、インクジェット記録部３０４により、画像データに応じて、画像が形成される。
【００９９】
インクジェット記録部３０４は、フルライン型のヘッドであり、記録媒体２０３の搬送方向に対して、上流側から、ブラック（Ｋ）、シアン（Ｃ）、マゼンタ（Ｍ）、イエロー（Ｙ）に対応する４つのインクジェットヘッド３０４Ｋ、３０４Ｃ、３０４Ｍ、３０４Ｙが配置されている。図３に示すように、ブラック（Ｋ）のインクジェットヘッド３０４Ｋは、記録媒体２０３の搬送方向に対して、直交する方向に、４つのヘッドユニット３０４Ｋ−１、３０４Ｋ−２、３０４Ｋ−３、３０４Ｋ−４を千鳥状に配列することにより、記録媒体２０３の記録領域の幅を確保している。図４に示すように、ヘッドユニット３０４Ｋ−１のノズル面３０９には、ヘッドユニット３０４Ｋ−１の長手方向に沿って、ノズル３１０が配列され、ノズル列が形成されている。
【０１００】
なお、ノズル列は、複数列形成されていてもよい。
【０１０１】
また、インクジェットヘッド３０４Ｃ、３０４Ｍ、３０４Ｙも同様の構成であり、４つのインクジェットヘッド３０４Ｋ、３０４Ｃ、３０４Ｍ、３０４Ｙは、同じピッチを保持して搬送方向に配列されている。これにより、１回の記録動作で記録領域の幅全体に画像を形成することができる。
【０１０２】
画像が形成された記録媒体２０３は、必要に応じて、後処理部３０５で後処理液が塗布される。
【０１０３】
後処理液は、画像が形成された記録媒体２０３上に、透明な保護層を形成することができる。
【０１０４】
なお、後処理液は、記録媒体２０３の記録領域の全域に塗布してもよいし、画像が形成された領域のみに塗布してもよい。
【０１０５】
画像が形成された記録媒体２０３又は後処理液が塗布された記録媒体２０３は、第二の乾燥部３０６のヒートローラー３１３、３１４により、第一の乾燥部３０３と同様にして、乾燥させる。
【０１０６】
乾燥した記録媒体２０３は、巻き取り装置３０８により巻き取られる。
【０１０７】
なお、巻き取り装置３０８により巻き取られる前の記録媒体２０３を乾燥させる巻き取り前乾燥部をさらに設置してもよい。
【実施例】
【０１０８】
本実施例において、部は、質量部を意味する。
【０１０９】
＜シアン顔料分散体の調製＞
機械式攪拌機、温度計、窒素ガス導入管、還流管及び滴下ロートを備えた１Ｌフラスコを十分に窒素ガスで置換した後、スチレン１１．２ｇ、アクリル酸２．８ｇ、メタクリル酸ラウリル１２．０ｇ、ポリエチレングリコールメタクリレート４．０ｇ、スチレンマクロマーＡＳ−６（東亜合成社製）４．０ｇ及びメルカプトエタノール０．４ｇを仕込み、６５℃まで昇温した。次に、スチレン１００．８ｇ、アクリル酸２５．２ｇ、メタクリル酸ラウリル１０８．０ｇ、ポリエチレングリコールメタクリレート３６．０ｇ、メタクリル酸２−ヒドロキシエチル６０．０ｇ、スチレンマクロマーＡＳ−６（東亜合成社製）３６．０ｇ、メルカプトエタノール３．６ｇ、アゾビスジメチルバレロニトリル２．４ｇ及びメチルエチルケトン１８ｇからなる混合液を、２．５時間で滴下した。さらに、アゾビスジメチルバレロニトリル０．８ｇ及びメチルエチルケトン１８ｇからなる混合液を、０．５時間で滴下し、６５℃で１時間熟成した後、アゾビスジメチルバレロニトリル０．８ｇを添加し、１時間熟成した。次に、メチルエチルケトン３６４ｇを添加し、５０質量％のポリマー溶液８００ｇを得た。
【０１１０】
ポリマー溶液の一部を乾燥させた後、ゲルパーミエーションクロマトグラフィーを用いて、重量平均分子量を測定したところ、１５０００であった。このとき、標準物質として、ポリスチレンを用い、溶離液として、テトラヒドロフランを用いた。
【０１１１】
ポリマー溶液２８ｇ、銅フタロシアニン２６ｇ、１ｍｏｌ／Ｌ水酸化カリウム水溶液１３．６ｇ、メチルエチルケトン２０ｇ及びイオン交換水３０ｇを十分に攪拌した後、３本ロールミルＮＲ−８４Ａ（ノリタケカンパニー社製）を用いて、２０回混練し、ペーストを得た。ペーストをイオン交換水２００ｇに投入し、十分に攪拌した後、エバポレーターを用いて、メチルエチルケトン及び水を留去し、固形分が２０質量％のシアン顔料分散体１６０ｇを得た。
【０１１２】
マイクロトラックＵＰＡ（マイクロトラッド社製）を用いて、シアン顔料分散体の体積平均粒径を測定したところ、９８ｎｍであった。
【０１１３】
＜マゼンタ顔料分散体の調製＞
銅フタロシアニンの代わりに、ピグメントレッド１２２を用いた以外は、シアン顔料分散体と同様にして、マゼンタ顔料分散体を得た。
【０１１４】
マイクロトラックＵＰＡ（マイクロトラッド社製）を用いて、マゼンタ顔料分散体の体積平均粒径を測定したところ、１２４ｎｍであった。
【０１１５】
＜イエロー顔料分散体の調製＞
銅フタロシアニンの代わりに、ピグメントイエロー７４を用いた以外は、シアン顔料分散体と同様にして、イエロー顔料分散体を得た。
【０１１６】
マイクロトラックＵＰＡ（マイクロトラッド社製）を用いて、イエロー顔料分散体の体積平均粒径を測定したところ、７８ｎｍであった。
【０１１７】
＜ブラック顔料分散体の調製＞
銅フタロシアニンの代わりに、カーボンブラックＦＷ１００（デグサ社製）を用いた以外は、シアン顔料分散体と同様にして、ブラック顔料分散体を得た。
【０１１８】
マイクロトラックＵＰＡ（マイクロトラッド社製）を用いて、ブラック顔料分散体の体積平均粒径を測定したところ、１１０ｎｍであった。
【０１１９】
＜水性シアン顔料インクの調製＞
シアン顔料分散体２０部、１，３−ブタンジオール２３部、グリセリン８部、２−エチル−１，３−ヘキサンジオール２部、有効成分が４０質量％のフッ素系ノニオン性界面活性剤ゾニールＦＳ−３００（ポリオキシエチレンパーフルオロアルキルエーテル）（デュポン社製）１部、防腐防黴剤プロキセルＬＶ（１，２−ベンゾイソチアゾリン−３−オン）（アビシア社製）０．２部、２−アミノ−２−エチル−１，３−プロパンジオール０．３部及びイオン交換水４５．５部を混合し、水性シアン顔料インクを得た。
【０１２０】
＜水性マゼンタ顔料インクの調製＞
マゼンタ顔料分散体２０部、１，３−ブタンジオール２２．５部、グリセリン９部、２−エチル−１，３−ヘキサンジオール２部、有効成分が４０質量％のフッ素系ノニオン性界面活性剤ゾニールＦＳ−３００（ポリオキシエチレンパーフルオロアルキルエーテル）（デュポン社製）１部、防腐防黴剤プロキセルＬＶ（１，２−ベンゾイソチアゾリン−３−オン）（アビシア社製）０．２部、２−アミノ−２−エチル−１，３−プロパンジオール０．３部及びイオン交換水４５部を混合し、水性シアン顔料インクを得た。
【０１２１】
＜水性イエロー顔料インクの調製＞
イエロー顔料分散体２０部、１，６−ヘキサンジオール２４．５部、グリセリン８部、２−エチル−１，３−ヘキサンジオール２部、有効成分が４０質量％のフッ素系ノニオン性界面活性剤ゾニールＦＳ−３００（ポリオキシエチレンパーフルオロアルキルエーテル）（デュポン社製）０．５部、防腐防黴剤プロキセルＬＶ（１，２−ベンゾイソチアゾリン−３−オン）（アビシア社製）０．２部、２−アミノ−２−エチル−１，３−プロパンジオール０．３部及びイオン交換水４４．５部を混合し、水性シアン顔料インクを得た。
【０１２２】
＜水性ブラック顔料インクの調製＞
ブラック顔料分散体２０部、１，５−ペンタンジオール２２．５部、グリセリン７．５部、２−ピロリドン２部、有効成分が４０質量％のフッ素系ノニオン性界面活性剤ゾニールＦＳ−３００（ポリオキシエチレンパーフルオロアルキルエーテル）（デュポン社製）０．５部、フロロシリコーン系消泡剤ＦＡ−６３０（信越シリコーン社製）０．１部、防腐防黴剤プロキセルＬＶ（１，２−ベンゾイソチアゾリン−３−オン）（アビシア社製）０．２部、２−アミノ−２−エチル−１，３−プロパンジオール０．５部及びイオン交換水４６．７部を混合し、水性シアン顔料インクを得た。
【０１２３】
＜実施例１＞
乳酸１０部、２−アミノ−２−エチル−１，３−プロパンジオール１３．２部、１，３−ブタンジオール１０部、グリセリン１０部、２−エチル−１，３−ヘキサンジオール２部、フッ素系ノニオン性界面活性剤Ｃａｐｓｔｏｎｅ（登録商標）  ＦＳ−３１００（デュポン社製）０．１部、エンバイロジェムＡＤ−０１（２，４，７，９−テトラメチル−４，７−デカンジオール）（日信化学工業社製）０．４部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水５４部を混合し、前処理液を得た。前処理液は、無色透明であった。
【０１２４】
なお、フッ素系ノニオン性界面活性剤Ｃａｐｓｔｏｎｅ（登録商標）  ＦＳ−３１００（デュポン社製）は、一般式（１）において、ｎが７〜１７である化合物である。
【０１２５】
＜実施例２＞
乳酸１０部、２−アミノ−２−エチル−１，３−プロパンジオール１３．２部、３−メチル−１，３−ヘキサンジオール１０部、グリセリン１０部、２，２，４−トリメチル−１，３−ペンタンジオール２部、フッ素系ノニオン性界面活性剤Ｃａｐｓｔｏｎｅ（登録商標）  ＦＳ−３１００（デュポン社製）０．２部、エンバイロジェムＡＤ−０１（２，４，７，９−テトラメチル−４，７−デカンジオール）（日信化学工業社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水５３．８部を混合し、前処理液を得た。前処理液は、無色透明であった。
【０１２６】
＜実施例３＞
酒石酸１０部、２−アミノ−２−エチル−１，３−プロパンジオール８部、１，３−ブタンジオール１０部、３−メチル１，３−ヘキサンジオール１０部、２−エチル−１，３−ヘキサンジオール２部、フッ素系ノニオン性界面活性剤Ｃａｐｓｔｏｎｅ（登録商標）  ＦＳ−３４（デュポン社製）０．３部、エンバイロジェムＡＤ−０１（２，４，７，９−テトラメチル−４，７−デカンジオール）（日信化学工業社製）０．３部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水５９．１部を混合し、前処理液を得た。前処理液は、無色透明であった。
【０１２７】
なお、フッ素系ノニオン性界面活性剤Ｃａｐｓｔｏｎｅ（登録商標）  ＦＳ−３４（デュポン社製）は、一般式（１）において、ｎが５〜２０である化合物である。
【０１２８】
＜実施例４＞
酒石酸１０部、２−アミノ−２−エチル−１，３−プロパンジオール８部、１，３−ブタンジオール１０部、グリセリン１０部、２，２，４−トリメチル−１，３−ペンタンジオール２部、フッ素系ノニオン性界面活性剤Ｃａｐｓｔｏｎｅ（登録商標）  ＦＳ−３０（デュポン社製）０．１部、エンバイロジェムＡＤ−０１（２，４，７，９−テトラメチル−４，７−デカンジオール）（日信化学工業社製）０．１部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水５９．５部を混合し、前処理液を得た。前処理液は、無色透明であった。
【０１２９】
なお、フッ素系ノニオン性界面活性剤Ｃａｐｓｔｏｎｅ（登録商標）  ＦＳ−３０（デュポン社製）は、一般式（１）において、ｎが６〜２２である化合物である。
【０１３０】
＜実施例５＞
硫酸マグネシウム１０部、３−メチル−１，３−ヘキサンジオール１０部、グリセリン１０部、２−エチル−１，３−ヘキサンジオール２部、フッ素系ノニオン性界面活性剤Ｃａｐｓｔｏｎｅ（登録商標）  ＦＳ−３０（デュポン社製）０．０５部、エンバイロジェムＡＤ−０１（２，４，７，９−テトラメチル−４，７−デカンジオール）（日信化学工業社製）０．２５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水６７．４部を混合し、前処理液を得た。前処理液は、無色透明であった。
【０１３１】
＜実施例６＞
硫酸マグネシウム１０部、１，３−ブタンジオール１０部、グリセリン１０部、２，２，４−トリメチル−１，３−ペンタンジオール２部、フッ素系ノニオン性界面活性剤Ｃａｐｓｔｏｎｅ（登録商標）  ＦＳ−３４（デュポン社製）０．７５部、エンバイロジェムＡＤ−０１（２，４，７，９−テトラメチル−４，７−デカンジオール）（日信化学工業社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水６６．４５部を混合し、前処理液を得た。前処理液は、無色透明であった。
【０１３２】
＜実施例７＞
塩化カルシウム１０部、１，３−ブタンジオール１０部、グリセリン１０部、２−エチル−１，３−ヘキサンジオール２部、フッ素系ノニオン性界面活性剤Ｃａｐｓｔｏｎｅ（登録商標）  ＦＳ−３１００（デュポン社製）０．０１部、エンバイロジェムＡＤ−０１（２，４，７，９−テトラメチル−４，７−デカンジオール）（日信化学工業社製）０．３部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水６７．３９部を混合し、前処理液を得た。前処理液は、無色透明であった。
【０１３３】
＜実施例８＞
塩化カルシウム１０部、３−メチル−１，３−ヘキサンジオール１０部、グリセリン１０部、２−エチル−１，３−ヘキサンジオール２部、フッ素系ノニオン性界面活性剤Ｃａｐｓｔｏｎｅ（登録商標）  ＦＳ−３１００（デュポン社製）０．５部、エンバイロジェムＡＤ−０１（２，４，７，９−テトラメチル−４，７−デカンジオール）（日信化学工業社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水６６．７部を混合し、前処理液を得た。前処理液は、無色透明であった。
【０１３４】
＜実施例９＞
フッ素系ノニオン性界面活性剤Ｃａｐｓｔｏｎｅ（登録商標）  ＦＳ−３１００（デュポン社製）の代わりに、フッ素系ノニオン性界面活性剤Ｃａｐｓｔｏｎｅ（登録商標）  ＦＳ−３０（デュポン社製）を用いた以外は、実施例１と同様にして、前処理液を得た。前処理液は、無色透明であった。
【０１３５】
＜実施例１０＞
フッ素系ノニオン性界面活性剤Ｃａｐｓｔｏｎｅ（登録商標）  ＦＳ−３１００（デュポン社製）の代わりに、フッ素系ノニオン性界面活性剤Ｃａｐｓｔｏｎｅ（登録商標）  ＦＳ−３４（デュポン社製）を用いた以外は、実施例１と同様にして、前処理液を得た。前処理液は、無色透明であった。
【０１３６】
＜比較例１＞
乳酸１０部、２−アミノ−２−エチル−１，３−プロパンジオール１３．２部、１，３−ブタンジオール１０部、グリセリン１０部、２−エチル−１，３−ヘキサンジオール２部、フッ素系ノニオン性界面活性剤Ｃａｐｓｔｏｎｅ（登録商標）  ＦＳ−３１００（デュポン社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水５４部を混合し、前処理液を得た。前処理液は、無色透明であった。
【０１３７】
＜比較例２＞
酒石酸１０部、２−アミノ−２−エチル−１，３−プロパンジオール８部、１，３−ブタンジオール１０部、グリセリン１０部、２，２，４−トリメチル−１，３−ペンタンジオール２部、ノニオン性界面活性剤ユニセーフＡ−ＬＹ（ポリオキシエチレンヤシ油アルキルジメチルアミンオキシド）（日油社製）０．５部、エンバイロジェムＡＤ−０１（２，４，７，９−テトラメチル−４，７−デカンジオール）（日信化学工業社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水５８．７部を混合し、前処理液を得た。前処理液は、無色透明であった。
【０１３８】
＜比較例３＞
酒石酸１０部、２−アミノ−２−エチル−１，３−プロパンジオール８部、１，３−ブタンジオール１０部、３−メチル−１，３−ヘキサンジオール１０部、２−エチル−１，３−ヘキサンジオール２部、エンバイロジェムＡＤ−０１（２，４，７，９−テトラメチル−４，７−デカンジオール）（日信化学工業社製）０．４部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水５９．３部を混合し、前処理液を得た。前処理液は、やや白濁していた。
【０１３９】
＜比較例４＞
酒石酸１０部、２−アミノ−２−エチル−１，３−プロパンジオール８部、１，３−ブタンジオール１０部、グリセリン１０部、２，２，４−トリメチル−１，３−ペンタンジオール２部、アニオン性界面活性剤ＥＣＴＤ−３ＮＥＸ（ポリオキシエチレン（３）トリデシルエーテル酢酸ナトリウム）（日光ケミカルズ社製）１部、エンバイロジェムＡＤ−０１（２，４，７，９−テトラメチル−４，７−デカンジオール）（日信化学工業社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水５８．２部を混合し、前処理液を得た。前処理液は、無色透明であった。
【０１４０】
＜比較例５＞
硫酸マグネシウム１０部、３−メチル−１，３−ヘキサンジオール１０部、グリセリン１０部、２−エチル−１，３−ヘキサンジオール２部、アニオン性界面活性剤ＥＣＴＤ−３ＮＥＸ（ポリオキシエチレン（３）トリデシルエーテル酢酸ナトリウム）（日光ケミカルズ社製）０．５部、フッ素系界面活性剤ユニダインＤＳＮ−４０３Ｎ（パーフルオロアルキルエチレンオキサイド付加物）（ダイキン工業社製）０．１部、エンバイロジェムＡＤ−０１（２，４，７，９−テトラメチル−４，７−デカンジオール）（日信化学工業社製）０．４部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水６６．７部を混合し、前処理液を得た。前処理液は、無色透明であった。
【０１４１】
＜比較例６＞
硫酸マグネシウム１０部、１，３−ブタンジオール１０部、グリセリン１０部、２，２，４−トリメチル−１，３−ペンタンジオール２部、有効成分が４０質量％のフッ素系ノニオン性界面活性剤ゾニールＦＳ−３００（ポリオキシエチレンパーフルオロアルキルエーテル）（デュポン社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水６７．２部を混合し、前処理液を得た。前処理液は、無色透明であった。
【０１４２】
＜比較例７＞
塩化カルシウム１０部、１，３−ブタンジオール１０部、グリセリン１０部、２−エチル−１，３−ヘキサンジオール２部、アニオン性界面活性剤ＥＣＴＤ−３ＮＥＸ（ポリオキシエチレン（３）トリデシルエーテル酢酸ナトリウム）（日光ケミカルズ社製）０．５部、エンバイロジェムＡＤ−０１（２，４，７，９−テトラメチル−４，７−デカンジオール）（日信化学工業社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水６６．７部を混合し、前処理液を得た。前処理液は、無色透明であった。
【０１４３】
＜比較例８＞
塩化カルシウム１０部、３−メチル−１，３−ヘキサンジオール１０部、グリセリン１０部、ノニオン性界面活性剤ノイゲンＬＰ−１００（ポリオキシアルキレンラウリルエーテル）（第一工業製薬社製）１部、有効成分が４０質量％のフッ素系ノニオン性界面活性剤ゾニールＦＳ−３００（ポリオキシエチレンパーフルオロアルキルエーテル）（デュポン社製）０．３部、エンバイロジェムＡＤ−０１（２，４，７，９−テトラメチル−４，７−デカンジオール）（日信化学工業社製）０．５部、防腐防黴剤プロキセルＬＶ（１，２−ベンゾイソチアゾリン−３−オン）（アビシア社製）０．２部、防錆剤１，２，３−ベンゾトリアゾール０．１部及びイオン交換水６７．９部を混合し、前処理液を得た。前処理液は、無色透明であった。
【０１４４】
次に、実施例１〜１０及び比較例１〜８の前処理液の画像濃度、色むら及び消泡性を評価した。
【０１４５】
＜画像濃度＞
普通紙マイペーパー（リコー社製）に前処理液を所定の塗布方法で所定量塗布した後、インクジェットプリンターＩＰＳｉＯ  Ｇｘｅ３３００（リコー社製）を用いて、印字した。このとき、水性イエロー顔料インク、水性マゼンタ顔料インク、水性シアン顔料インク又は水性ブラック顔料インクを用いて、Ｍｉｃｒｏｓｏｆｔ  Ｗｏｒｄ２００３により作成した６４ｐｏｉｎｔのＪＩＳ  Ｘ  ０２０８（１９９７），２２２３の一般記号が記載されているチャートを印字した。また、印字モードは、プリンターに添付されているドライバで、「普通紙−標準はやい」モード・カラーマッチングｏｆｆとした。
【０１４６】
なお、ＪＩＳ  Ｘ  ０２０８（１９９７），２２２３は、外形が正方形であり、全面が塗りつぶされている記号である。
【０１４７】
表１に、実施例１〜１０及び比較例１〜８の塗布条件を示す。
【０１４８】
【表１】
0006323230.tif 000002
次に、反射型カラー分光測定濃度計（Ｘ−Ｒｉｔｅ社製）を用いて、チャートの画像濃度を測定した。
【０１４９】
＜色むら＞
印字モードを「光沢紙−きれいモード」モード・カラーマッチングｏｆｆとした以外は、画像濃度と同様にして、印字した後、色むらの有無を目視で評価した。なお、色むらが無い場合をＡ、色むらが僅かにあるが、問題が無い場合をＢ、色むらが少しあり、問題がある場合をＣ、色むらがある場合をＤとして、判定した。
【０１５０】
＜消泡性＞
２５℃の環境下で、１００ｍＬのメスシリンダーに前処理液１０ｍＬを入れた後、前処理液と気泡の体積が１００ｍＬになるまで一定圧力の空気を注入し、泡が全て消えるまでの消泡時間を評価した。なお、消泡時間が６０秒未満である場合をＡＡ、６０秒以上１５０秒未満である場合をＡ、１５０秒以上３００秒未満である場合をＢ、３００秒以上６００秒未満である場合をＣ、６００秒以上である場合をＤとして、判定した。
【０１５１】
表２に、実施例１〜１０及び比較例１〜８の前処理液の画像濃度、色むら及び消泡性の評価結果を示す。
【０１５２】
【表２】
0006323230.tif 000003
なお、Ｃ、Ｍ、Ｙ及びＫは、それぞれシアン、マゼンタ、イエロー及びブラックを意味する。
【０１５３】
表２から、実施例１〜１０の前処理液は、普通紙に画像濃度が高い画像を形成すると共に、色むらの発生を抑制でき、消泡性に優れることがわかる。
【０１５４】
これに対して、比較例１の前処理液は、一般式（２）で表される化合物を含まないため、消泡性が低下し、色むらが発生する。
【０１５５】
比較例２、４、７の前処理液は、一般式（１）で表される化合物を含まず、非フッ素系界面活性剤を含むため、消泡性が低下し、色むらが発生する。
【０１５６】
比較例３の前処理液は、一般式（１）で表される化合物を含まないため、色むらが発生する。
【０１５７】
比較例５、８の前処理液は、一般式（１）で表される化合物を含まず、非フッ素系界面活性剤及びフッ素系界面活性剤を含むため、消泡性が低下し、色むらが発生する。
【０１５８】
比較例６の前処理液は、一般式（１）で表される化合物及び一般式（２）で表される化合物を含まず、フッ素系界面活性剤を含むため、消泡性が低下し、色むらが発生する。
【符号の説明】
【０１５９】
２０３    記録媒体
２０５    前処理液
２０９    塗布ローラー
３００    画像形成装置
３０２    前処理部
３０４    インクジェット記録部
３０４Ｋ、３０４Ｃ、３０４Ｍ、３０４Ｙ    インクジェットヘッド
２００    インクカートリッジ
【先行技術文献】
【特許文献】
【０１６０】
【特許文献１】特開２０１１−０７９３０５号公報
【図１】
0006323230.tif 000004
【図２】
0006323230.tif 000005
【図３】
0006323230.tif 000006
【図４】
0006323230.tif 000007